(57)【要約】    【課題】  メダル排出通路側からの払い出し手段の出口への不正工作部材の挿入を防止でき、不正なメダルの払い出しを未然に防止できるようにする。    【解決手段】  筐体２側のメダル払い出し手段１７の出口４０に対向して、筐体２に開閉自在に装着された前面パネル３の裏側のメダル排出通路４７に入口６４を形成し、メダル払い出し手段１７の出口４０から払い出されたメダル等のメダルを入口６４からメダル排出通路４７を経てメダル受け皿３５へと排出するようにすると共に、入口６４の下側でメダル排出通路４７の内面に不正工作防止部６５を設ける。【選択図】    図４
2010131427.tif 000002
【特許請求の範囲】
【請求項１】
筐体（２）側の遊技媒体払い出し手段（１７）の出口（４０）に対向して、前記筐体（２）に開閉自在に装着された前面パネル（３）の裏側の遊技媒体排出通路（４７）に入口（６４）を形成し、前記遊技媒体払い出し手段（１７）の前記出口（４０）から払い出されたメダル等の遊技媒体を前記入口（６４）から前記遊技媒体排出通路（４７）を経て遊技媒体受け皿（３５）へと排出するようにした遊技機において、前記入口（６４）の下側で前記遊技媒体排出通路（４７）の内面に不正工作防止部（６５）を設けたことを特徴とする遊技機。
【請求項２】
前記不正工作防止部（６５）は、前記出口（４０）への不正工作部材の挿入を阻止する挿入阻止壁（６６）（６６ａ）であることを特徴とする請求項１に記載の遊技機。
【請求項３】
前記不正工作防止部（６５）は、前記遊技媒体排出通路（４７）の排出口（３４）側から挿入された不正工作部材を前記出口（４０）以外の箇所へと案内する傾斜案内部（７０）を有することを特徴とする請求項１又は２に記載の遊技機。
【発明の詳細な説明】
【技術分野】
【０００１】
本発明は、スロットマシン等の遊技機に関し、遊技媒体払い出し手段に対する不正工作を防止するようにしたものである。
【背景技術】
【０００２】
スロットマシン等の遊技機では、筐体側にメダル払い出し手段を備え、筐体に開閉自在に装着された前面パネルの前側下部にメダル受け皿を備え、前面パネルの裏側にメダル選別手段と、メダル受け皿に連通するメダル排出通路とを備え、メダル選別手段により排除された偽メダルをメダル排出通路を経てメダル受け皿へと排出する一方、メダル払い出し手段の出口に対応してメダル排出通路の後通路壁に入口を形成し、メダル払い出し手段の出口から排出されたメダルを、その入口からメダル排出通路を経てメダル受け皿へと排出する（特許文献１）。
【０００３】
メダル払い出し手段は、払い出しケース内の回転体の回転によりメダルを１個ずつ払い出すと共に、メダルが出口を通過する毎に間欠的に作動する可動片を介してスイッチによりメダルを検出して払い出し個数を計数するようになっている。
【先行技術文献】
【特許文献】
【０００４】
【特許文献１】特開２００３−２２５３５３号公報
【発明の概要】
【発明が解決しようとする課題】
【０００５】
この種のメダル払い出し手段は、可動片の間欠的な作動でスイッチが動作するようになっており、可動片が復帰しない限り、その間に何個のメダルが出口を通過しても、スイッチが１個のメダルとして検出することになる。
【０００６】
しかし、従来の遊技機では、メダル払い出し手段の出口とメダル排出通路の後通路壁の入口とを前後に接近させて設けるのみであって、メダル排出通路側に特別な不正行為防止対策を講じていない。このため出口側から針金等の不正工作部材を挿入して可動片を作動状態にし、多数のメダルの払い出しを不正に受ける等の不正行為を招く惧れがある。
【０００７】
本発明は、このような従来の問題点に鑑み、遊技媒体排出通路側からの払い出し手段の出口への不正工作部材の挿入を防止でき、不正な遊技媒体の払い出しを未然に防止できる遊技機を提供することを目的とする。
【課題を解決するための手段】
【０００８】
本発明は、筐体２側の遊技媒体払い出し手段１７の出口４０に対向して、前記筐体２に開閉自在に装着された前面パネル３の裏側の遊技媒体排出通路４７に入口６４を形成し、前記遊技媒体払い出し手段１７の前記出口４０から払い出されたメダル等の遊技媒体を前記入口６４から前記遊技媒体排出通路４７を経て遊技媒体受け皿３５へと排出するようにした遊技機において、前記入口６４の下側で前記遊技媒体排出通路４７の内面に不正工作防止部６５を設けたものである。
【発明の効果】
【０００９】
本発明では、遊技媒体排出通路４７側からの払い出し手段１７の出口４０側への不正工作部材の挿入を防止でき、不正な遊技媒体の払い出しを未然に防止できる利点がある。
【図面の簡単な説明】
【００１０】
【図１】本発明の一実施例に係るスロットマシンの全体斜視図である。
【図２】筐体側の正面図である。
【図３】前面パネル側の要部の背面図である。
【図４】パネル体下部の縦断面図である。
【図５】通路形成体の背面図である。
【図６】通路形成体の斜視図である。
【図７】通路形成板の装着状態の斜視図である。
【図８】通路形成板の入口側の断面図である。
【発明を実施するための形態】
【００１１】
以下、本発明の実施形態を図面に基づいて詳述する。図面は本発明をスロットマシンとして具現化した実施例を例示している。図１及び図２において、１は遊技機本体であり、筐体２と、この筐体２の前側に配置された矩形状の前面パネル３とを備えている。
【００１２】
筐体２は前側が開放する箱形に形成されており、その前側を開閉自在に閉鎖するように前面パネル３が装着されている。筐体２内には、図２に示すように、複数個の図柄表示リール８ａ〜８ｃが左右方向に配列された表示リールユニット９の他、メダル払い出し装置１０、メダル補助ケース１１、電源基板が格納された電源基板ケース１２、主制御基板１３が格納された主制御基板ケース１４等が配置されている。表示リールユニット９は、筐体２の中間棚１５上に着脱自在に装着されている。
【００１３】
メダル払い出し装置１０は、図２に示すように払い出し用のメダルを貯留するメダルホッパー１６と、メダルホッパー１６内のメダルを払い出すメダル払い出し手段１７と、メダルホッパー１６から溢れたメダルをメダル補助ケース１１側に排出する余剰メダル排出口１８等を備え、底板６上に着脱自在に装着されている。
【００１４】
前面パネル３は左右一端側に配置されたヒンジ手段（図示省略）を介して筐体２に対して開閉自在に装着されており、その上部側には第１表示窓２３と第２表示窓２４とが上下に配置されている。第１表示窓２３は、筐体２側の図柄表示リール８ａ〜８ｃに対応して矩形状に形成されており、遊技者はこの第１表示窓２３を介して図柄表示リール８ａ〜８ｃを前側から視認可能となっている。
【００１５】
第２表示窓２４は、前面パネル３の裏側に装着された液晶表示ユニット（図示省略）の表示画面２５に対応して、第１表示窓２３よりも大型の矩形状に形成されており、遊技者はこの第２表示窓２４を介して表示画面２５を前側から視認可能となっている。第２表示窓２４の下側には、上部側に横長状の操作パネル部２６を有する前カバー２０が前側に張り出して設けられている。
【００１６】
操作パネル部２６は前カバー２０の上面側と前面側とにあり、その上面側には遊技媒体としてのメダルを投入可能なメダル投入口２７の他、１ベットボタン２８、マックスベットボタン２９及びキャンセルボタン３０が設けられている。１ベットボタン２８、マックスベットボタン２９は、メダル投入口２７へのメダル投入に代えてクレジットからメダルをベットするためのものである。
【００１７】
操作パネル部２６の前面側には、図柄表示リール８ａ〜８ｃの回転を開始させるためのスタートレバー３１、回転中の図柄表示リール８ａ〜８ｃを夫々個別に停止させるためのストップボタン３２ａ〜３２ｃ、メダル投入口２７内に詰まったメダルを返却させるための返却ボタン３３等が設けられている。
【００１８】
前面パネル３の下部側は前カバー２０に比して大きく後方に後退しており、この前面パネル３の下部側には、メダル払い出し手段１７から払い出されたメダルや返却されたメダルを前側に排出するための排出口３４が形成された化粧板５８が装着され、またその前側に、排出口３４から排出されたメダルを受けるメダル受け皿３５と、このメダル受け皿３５の一側に配置された灰皿３６とが設けられている。なお、排出口３４の左右両側には、スピーカ３７が配置されている。
【００１９】
メダル払い出し手段１７は、図２に示すように、メダルホッパー１６の下側の払い出しケース３８内で傾斜軸廻りに回転する回転円板３９と、この回転円板３９を駆動する駆動モータとを備え、その回転円板３９の回転により、払い出しケース３８の前側の出口４０からメダルを前方へと払い出すように構成され、またメダルの払い出し毎に間欠的に作動する出口４０側の可動片（図示省略）を介してメダルを検出するスイッチ４１が設けられている。
【００２０】
前面パネル３は、合成樹脂材料により一体に成型され且つその骨格体を構成するパネル体４２を備え、このパネル体４２の前面側に装飾用の前カバー２０、この前カバー２０を裏側から照明する照明ランプ４３等の所要部材が装着されている。
【００２１】
パネル体４２の裏側には、図３に示すように、メダル投入口２７から投入されたメダルの真偽を選別するメダル選別手段４５と、メダル選別手段４５を通過した真正のメダルをメダルホッパー１６へと案内するメダルシュート４６と、メダル選別手段４５により排除された偽メダル及びメダル払い出し手段１７により払い出されたメダルを排出口３４を経てメダル受け皿３５へと排出するメダル排出通路４７とが設けられている。
【００２２】
パネル体４２は、図３、図４に示すように、メダル選別手段４５の装着部位の下側に、下方前側に若干傾斜する縦壁部４８と、この縦壁部４８の下側にジグザグ状に形成された屈曲壁部４９と、この屈曲壁部４９の後端から下方に延びる縦壁部５０と、この縦壁部５０の下端から後ろ下がりに傾斜する傾斜壁部５１と、この傾斜壁部５１の後端から下方前側に若干傾斜する縦壁部５２と、縦壁部５２の下端から後側に屈曲する底壁部５３とを一体に備えている。
【００２３】
屈曲壁部４９は、図４、図７に示すように、縦壁部４８の下端から後ろ下がりに傾斜する上傾斜部４９ａと、上傾斜部４９ａの下端から前下りに傾斜する中傾斜部４９ｂと、中傾斜部４９ｂの前端から後ろ下がりに傾斜する下傾斜部４９ｃとを有し、その上傾斜部４９ａと中傾斜部４９ｂとの間に、両者を上下に接続する補強リブ４９ｄが左右方向に複数個設けられている。下傾斜部４９ｃは上傾斜部４９ａ、中傾斜部４９ｂの後端よりも後方に突出しており、中傾斜部４９ｂと下傾斜部４９ｃとの間には、前側に凹入する凹入部４９ｅが形成されている。
【００２４】
パネル体４２の屈曲壁部４９から上側は、図４に示すように前カバー２０の後側に位置し、その前カバー２０の下側には、縦壁部５２に対応して金属板等の化粧板５８が前面側から装着され、この化粧板５８の前側にメダル受け皿３５が設けられている。縦壁部５２には開口５２ａが、化粧板５８には排出口３４が互いに前後に相対応して形成され、これらを経てメダル排出通路４７からメダル受け皿３５へとメダルを排出するようになっている。
【００２５】
メダル排出通路４７は、図３〜図６に示すように、パネル体４２と、このパネル体４２の後側に装着された横断面コ字状の通路形成体５５とにより構成され、メダル選別手段４５の下側に開口し且つメダル選別手段４５の下側からパネル体４２の左右方向の中央側へと傾斜する傾斜通路部５６と、この傾斜通路部５６の下端から排出口３４側へと下方に延びる縦通路部５７とを有する。傾斜通路部５６はその上下方向の中途、即ちパネル体４２の屈曲壁部４９に対応する部分で後側に屈曲しており、上半分に対して下半分が後方に後退している。
【００２６】
通路形成体５５は上端部の左右両側、下端部の左右及び下側等の適当箇所に取り付け部５９を有し、その取り付け部５９がパネル体４２側に一体に形成された凸部６０に嵌合して裏側からネジ５９ａにより着脱自在に固定されている。また通路形成体５５はメダル払い出し手段１７の出口４０の前側に近接する縦方向に後壁部６１と、排出口３４側へと前下りに傾斜する傾斜底壁６２とを有する。
【００２７】
なお、傾斜通路部５６では、その下側の傾斜壁５６ａ上をメダルが滑り落ちるようになっている。通路形成体５５の傾斜底壁６２内には、ステンレス板等の補強板６３が装着されている。
【００２８】
後壁部６１には、図４に示すように、メダル払い出し手段１７の出口４０と前後に対応する入口６４が形成されると共に、この入口６４の下側近傍に、不正工作防止部６５が一体に設けられている。入口６４は傾斜通路部５６と縦通路部５７との接続位置にあり、メダル払い出し手段１７の出口４０に合わせて、メダル排出通路４７の傾斜通路部５６の傾斜方向と略直交して形成されている。入口６４の外周壁６４ａは筒状になって後側に突出している。
【００２９】
不正工作防止部６５は、メダル排出通路４７の排出口３４側から出口４０への不正工作部材の挿入を阻止するためのもので、図４〜図６に示すように、入口６４の下側近傍又は極近傍に、その入口６４に沿って斜め方向に傾斜し且つ後壁部６１の内面から前側に突出する挿入阻止壁６６，６６ａによって構成されている。そして、挿入阻止壁６６，６６ａの下面側は、不正工作部材を出口４０以外の方向へと案内する傾斜案内部６７，６７ａとなっている。
【００３０】
即ち、矩形長孔状の入口６４の下長辺側の下側近傍は、この下長辺に沿って挿入阻止壁６６が、下短辺側の下側極近傍にはこの下短辺に沿って挿入阻止壁６６ａが夫々形成されている。またこれらの挿入阻止壁６６，６６ａは、下側の交差部でＶ字状又は略直交状に交差して一体に連結されている。従って、入口６４は、下面側に傾斜案内部６７，６７ａを有する挿入阻止壁６６，６６ａにより下側から取り囲まれている。
【００３１】
なお、挿入阻止壁６６と入口６４との間には、図８に示すように、挿入阻止壁６６を補強する三角形状の補強リブ６６ｂがその上側に設けられ、また挿入阻止壁６６ａは挿入阻止壁６６から入口６４の下短辺の上端側へと三角形状に形成されている。
【００３２】
パネル体４２の裏側には、図３、図４、図７に示すように、メダル排出通路４７に対応する部分に屈曲壁部４９から縦壁部５０に跨がって通路形成板６９が設けられている。通路形成板６９はステンレス板等の金属板から成り、屈曲壁部４９の上傾斜部４９ａに当接する上傾斜部６９ａと、縦壁部５０に当接し且つメダル払い出し手段１７からのメダルが衝突する衝突部６９ｂとを上下に有すると共に、中傾斜部４９ｂと下傾斜部４９ｃとの間に、上傾斜部６９ａの下側に段差６９ｃをおいて後下がりに傾斜状に形成され且つ凹入部４９ｅを上側から覆う下傾斜部６９ｄを有し、パネル体４２と通路形成体５５とによって挟持されている。なお、上傾斜部６９ａと下傾斜部６９ｄとにより、メダル選別手段４５からのメダルを後側に案内する傾斜案内部７０が構成されている。
【００３３】
通路形成板６９には図４、図７に示すように、その上端に前側に屈曲する屈曲部７１が設けられ、その屈曲部７１が縦壁部４８と上傾斜部４９ａとの境界部分で前側に凹入して左右方向に形成された溝状又は長孔状の挿入部７２内に挿入されている。衝突部６９ｂは後壁部６１の入口６４と前後に対向しており、メダル払い出し手段１７により払い出されてメダル排出通路４７内に入ったメダルがこの衝突部６９ｂに衝突して落下するようになっている。
【００３４】
衝突部６９ｂの下端部はパネル体４２の縦壁部５０の下端まで達している。また通路形成板６９は衝突部６９ｂの上部側でネジ７３によりパネル体４２に固定されている。なお、通路形成板６９はメダル排出通路４７よりも左右両側に突出しているが、メダル排出通路４７と略同一幅でもよい。
【００３５】
上記構成において、メダル投入口２７にメダルを投入すると、そのメダル選別手段４５が真偽の選別を行い、偽メダルはメダル選別手段４５で排除され、真正のメダルのみがメダル選別手段４５を通過する。そして、メダル選別手段４５で排除された偽メダルは、メダル排出通路４７の上端開口側から傾斜通路部５６内へと落下する。そして、傾斜通路部５６でパネル体４２の後側に装着された通路形成板６９の傾斜案内部７０上に落下し衝突して、この傾斜案内部７０の傾斜に沿って通路形成体５５の傾斜壁５６ａ上へと案内され、その傾斜底壁５６ａから縦通路部５７、排出口３４を経てメダル受け皿３５へと排出されて行く。
【００３６】
メダル排出通路４７の傾斜通路部５６は、パネル体４２の屈曲壁部４９の上下で前後に屈曲しているが、その屈曲壁部４９に対応して通路形成板６９の傾斜案内部７０を設けているので、この傾斜案内部７０で屈曲壁部４９を保護でき、屈曲壁部４９、特にその上傾斜部４９ａに対するメダルの衝突等による損傷を防止できる。
【００３７】
また屈曲壁部４９は上傾斜部４９ａ、中傾斜部４９ｂ、下傾斜部４９ｃを有するジグザグ状に構成しているため、パネル体４２の肉厚を略一定にしながらも容易に強度を確保できる。しかもメダル排出通路４７の途中にある屈曲壁部４９には、後上側に開口する凹入部４９ｅがあるが、その凹入部４９ｅを通路形成板６９の傾斜案内部７０で覆っているため、メダル排出通路４７を簡単な構造で容易に形成できる。
【００３８】
通路形成板６９の上端側は、その屈曲部７１をパネル体４２の挿入部７２に挿入しているため、傾斜案内部７０上に落下するメダルが、通路形成板６９の上端縁に引っ掛かって詰まる等の問題もなく、傾斜案内部７０によりメダルを円滑に案内できる。
【００３９】
メダル払い出し手段１７により払い出されたメダルは、その出口４０から入口６４を経てメダル排出通路４７へと入り、通路形成板６９の衝突部６９ｂに衝突してメダル受け皿３５へと案内されて行く。この場合にも、パネル体４２の縦壁部５０の後側に衝突部６９ｂを有する通路形成板６９があるため、その衝突部６９ｂでパネル体４２側を保護できる。また通路形成板６９は上側の傾斜案内部７０と衝突部６９ｂをくの字状に備え、その傾斜案内部７０は段差６９ｃを介して上傾斜部６９ａと下傾斜部６９ｄとを備えているため、単体での剛性も大であり、その取り扱いを容易にできる。
【００４０】
メダル排出通路４７の後壁部６１には、その入口６４の下側に不正行為防止部６５を構成する挿入阻止壁６６，６６ａがあるため、排出口３４からメダル排出通路４７を経て針金等の不正工作部材を挿入しても、その挿入阻止壁６６，６６ａによって入口６４からメダル払い出し手段１７の出口４０側への挿入を阻止できる。特に挿入阻止壁６６，６６ａの下側に傾斜案内部６７，６７ａがあり、その傾斜案内部６７，６７ａによって不正工作部材を入口６４以外の方向に案内するため、不正工作部材の入口６４への挿入を困難にできる。
【００４１】
以上、本発明の実施例について詳述したが、本発明はこの実施例に限定されるものではなく、本発明の趣旨を逸脱しない範囲で種々の変更が可能である。例えば、前面パネル３の骨格体を構成するパネル体４２は、上下方向に複数個に分割したものでもよい。また通路形成板６９の傾斜案内部７０は、段差６９ｃを介して上傾斜部６９ａと下傾斜部６９ｄとを備えているが、段差６９ｃのないものでもよい。その場合、凹入部４９ｅ内に補強リブ等を設けて、その補強リブを傾斜案内部７０の下側に当接させてもよい。
【００４２】
パネル体４２の屈曲壁部４９は、後下がりに傾斜する傾斜部を有する構造であればよく、必ずしもジグザグ状に構成する必要はない。メダル排出通路４７は、その前側をパネル体４２の一部で構成すればよい。
【００４３】
不正行為防止部６５は、メダル払い出し手段１７のスイッチ４１が近接型の場合には、それを電磁的に作動させる不正工作部材の接近を阻止するものでもよく、入口６４から出口４０側への挿入を阻止する以外のものでもよい。挿入阻止壁６６，６６ａは、入口６４の下側であれば、その極近傍、近傍の何れに設けてもよい。また挿入阻止壁６６，６６ａは、入口６４の下側に円弧状に設けてもよいし、入口６４の下長辺、下短辺に沿ってＪ字状又はカギ状に設けてもよい。更に不正工作部材の挿入を阻止できる形状であれば、入口６４の下長辺に沿って設けられた挿入阻止壁６６を、入口６４の下端側を超えて下側へと伸ばしてもよい。挿入阻止壁６６，６６ａは入口６４に沿って設けた複数本の突起により構成してもよい。
【００４４】
また遊技媒体としてメダルを使用するスロットマシンを例示しているが、メダル以外の遊技媒体を使用するものでもよい。更にパチンコ機その他の弾球遊技機、又はスロットマシン、弾球遊技機以外の遊技機においても同様に実施することが可能である。
【符号の説明】
【００４５】
２  筐体
３  前面パネル
１７  メダル払い出し手段（遊技媒体払い出し手段）
２７  メダル投入口（遊技媒体投入口）
３４  排出口
３５  メダル受け皿（遊技媒体受け皿）
４０  出口
４２  パネル体
４７  メダル排出通路（遊技媒体排出通路）
４５  メダル選別手段（遊技媒体選別手段）
４９ａ  傾斜部
４９ｅ  凹入部
５５  通路形成体
６４  入口
６５  不正工作防止部
６６  挿入阻止壁
７０  傾斜案内部
６９ａ  衝突部
６９  通路形成板
７１  屈曲部
７２  挿入部
【図１】
2010131427.tif 000003
【図２】
2010131427.tif 000004
【図３】
2010131427.tif 000005
【図４】
2010131427.tif 000006
【図５】
2010131427.tif 000007
【図６】
2010131427.tif 000008
【図７】
2010131427.tif 000009
【図８】
2010131427.tif 000010
【手続補正書】
【提出日】平成22年2月15日(2010.2.15)
【手続補正１】
【補正対象書類名】特許請求の範囲
【補正対象項目名】全文
【補正方法】変更
【補正の内容】
【特許請求の範囲】
【請求項１】
筐体（２）内に遊技媒体払い出し手段（１７）を備え、前記筐体（２）に開閉自在に装着された前面パネル（３）の裏側に、前記遊技媒体払い出し手段（１７）の出口（４０）から払い出された遊技媒体を前記前面パネル（３）の前側の遊技媒体受け皿（３５）へと排出する遊技媒体排出通路（４７）を備え、前記遊技媒体排出通路（４７）の後壁部（６１）に、前記出口（４０）からの遊技媒体が前記遊技媒体排出通路（４７）内に入る長孔状の入口（６４）を設けた遊技機において、前記入口（６４）の下側で前記後壁部（６１）の前面に、該後壁部（６１）から前側に一体に突出し且つ前記出口（４０）への不正工作部材の挿入を阻止する挿入阻止壁（６６）（６６ａ）を設け、前記挿入阻止壁（６６）（６６ａ）は前記入口（６４）の長辺側と短辺側とに沿ってＶ字状又は略直交状に配置されていることを特徴とする遊技機。
【手続補正２】
【補正対象書類名】明細書
【補正対象項目名】０００８
【補正方法】変更
【補正の内容】
【０００８】
本発明は、筐体２内に遊技媒体払い出し手段１７を備え、前記筐体２に開閉自在に装着された前面パネル３の裏側に、前記遊技媒体払い出し手段１７の出口４０から払い出された遊技媒体を前記前面パネル３の前側の遊技媒体受け皿３５へと排出する遊技媒体排出通路４７を備え、前記遊技媒体排出通路４７の後壁部６１に、前記出口４０からの遊技媒体が前記遊技媒体排出通路４７内に入る長孔状の入口６４を設けた遊技機において、前記入口６４の下側で前記後壁部６１の前面に、該後壁部６１から前側に一体に突出し且つ前記出口４０への不正工作部材の挿入を阻止する挿入阻止壁６６，６６ａを設け、前記挿入阻止壁６６，６６ａは前記入口６４の長辺側と短辺側とに沿ってＶ字状又は略直交状に配置されているものである。